(57)【要約】  【課題】ドア枠に歪みや変形が生じた場合であっても、円滑にドア本体の開閉を行う。  【解決手段】ドア本体４と、ドア本体４の一側面部に厚さ方向の回動軸１７に回動可能に設けた回動アーム５と、回動アーム５の回動軸１７に対して一方の側にドア本体４の略回動方向に回動可能に設けた第１のローラ６と、回動アーム５の回動軸１７に対して他方の側にドア本体４の略回動方向に回動可能に設けた第２のローラ７とを備える。ドア本体４の一側面部には、第１のローラ６をドア枠３に臨ませる第１の切欠部２３と、第２のローラをドア枠に臨ませる第２の切欠部２４が形成され、ドア枠３が変形したとき、回動アームは、一方のローラがドア枠３に押圧され、回動アーム５が回動軸１７を中心に回動されることによって、第１のローラ６と第２のローラ７が変形したドア枠３に接触する。  【選択図】図２
2008057240.tif 000002
【特許請求の範囲】
【請求項１】
ドア枠に対して回動可能に設けられた耐震ドアにおいて、
ドア本体と、
上記ドア本体の一側面部に、厚さ方向の回動軸に回動可能に設けられた回動アームと、
上記回動アームの回動軸に対して一方の側に、上記ドア本体の略回動方向に回転自在に設けられた第１のローラと、
上記回動アームの回動軸に対して他方の側に、上記ドア本体の略回動方向に回転自在に設けられた第２のローラとを備え、
上記ドア本体の一側面部には、上記第１のローラを上記ドア枠に臨ませる第１の開口部と上記第２のローラを上記ドア枠に臨ませる第２の開口部とが形成され、
上記ドア枠が変形したとき、上記回動アームは、上記一方のローラが上記ドア枠に押圧され、上記回動アームが回動軸を中心に回動されることによって、上記両方のローラが上記ドア枠に接触することを特徴とする耐震ドア。
【請求項２】
上記回動アームは、上記一方のローラが、上記ドア本体の一側面部の略中央に配置され、上記他方のローラが上記ドア本体の一側面部のコーナ部近傍に配置されていることを特徴とする請求項１記載の耐震ドア。
【請求項３】
上記回動アームは、上記ドア本体の上下の側面部に設けられている他方のローラが同一側のコーナ部近傍に設けられていることを特徴とする請求項２記載の耐震ドア。
【請求項４】
上記回動アームは、上記ドア本体の複数の側面部に複数個設けられていることを特徴とする請求項２記載の耐震ドア。
【請求項５】
耐震ドアと、
上記耐震ドアを回動可能に設けるドア枠とを備え、
上記耐震ドアは、ドア本体と、上記ドア本体の一側面部に、厚さ方向の回動軸に回動可能に設けられた回動アームと、上記回動アームの回動軸に対して一方の側に、上記ドア本体の略回動方向に回転自在に設けられた第１のローラと、上記回動アームの回動軸に対して他方の側に、上記ドア本体の略回動方向に回転自在に設けられた第２のローラとを有し、上記ドア本体の一側面部には、上記第１のローラを上記ドア枠に臨ませる第１の開口部と上記第２のローラを上記ドア枠に臨ませる第２の開口部とが形成され、上記ドア枠が変形したとき、上記回動アームは、上記一方のローラが上記ドア枠に押圧され、上記回動アームが回動軸を中心に回動されることによって、上記両方のローラが上記ドア枠に接触することを特徴とする耐震ドア装置。
【請求項６】
上記回動アームは、上記一方のローラが、上記ドア本体の一側面部の略中央に配置され、上記他方のローラが上記ドア本体の一側面部のコーナ部近傍に配置されていることを特徴とする請求項５記載の耐震ドア装置。
【請求項７】
上記回動アームは、上記ドア本体の上下の側面部に設けられている他方のローラが同一側のコーナ部近傍に設けられていることを特徴とする請求項６記載の耐震ドア装置。
【請求項８】
上記回動アームは、上記ドア本体の複数の側面部に複数個設けられていることを特徴とする請求項６記載の耐震ドア装置。
【発明の詳細な説明】
【技術分野】
【０００１】
本発明は、地震発生等によってドア枠に大きな外力が加わり、ドア枠が変形等した場合であっても、円滑にドアの開閉を行うことができる耐震ドア及びこの耐震ドアを備える耐震ドア装置に関する。
【背景技術】
【０００２】
地震災害等によって建物が変形し、ドア枠に大きな外力が加わり、ドア枠が変形等したことでドアの開閉に支障を及ぼすことがある。このような問題を解決するために特許文献１の耐震ドアは、ドア本体とドア枠との摩擦を低減させるローラをドア枠から突出させてドア本体に回転自在に設けている。特許文献１の耐震ドアは、ドア枠が変形等した場合であっても、ローラがドア枠と接触することで、ドア本体とドア枠の摩擦が低減され、ドアの開閉を行うことができる。
【０００３】
ここで、ドア枠が変形等する場合には、ドア枠が略平行四辺形状に変形する層間変形とドア枠の一部が変形する局部変形とがある。
【０００４】
しかしながら、特許文献１の耐震ドアは、ローラがドア本体の上面に複数個、略等間隔に配置されているが、ローラがドア本体から所定量突出されて設けられているだけである。特許文献１の耐震ドアは、ドア枠が略平行四辺形状に層間変形した場合、ローラとドア枠との間に間隙が生じ、ドア本体の上面に配置された一のローラのみがドア枠と接触し、上面に配置された他のローラがドア枠と接触できない虞がある。このため、特許文献１の耐震ドアは、一のローラでドア本体を開閉させる必要があり、一のローラのみに大きな外力が加わり、円滑にドア本体を開閉することができない虞がある。
【０００５】
更に、特許文献１の耐震ドアは、例えばドア枠の上面略中央部がドア側に局部変形した場合、ドア本体の上面の両端に配置されたローラとドア枠との間に間隙が生じ、ドア本体の上面の両端に配置されたローラは、ドア枠と接触できない虞がある。このため、特許文献１の耐震ドアは、上面略中央部に配置された一のローラのみでドア本体を開閉させる必要があり、一のローラのみに大きな外力が加わり、円滑にドア本体を開閉することができない虞がある。
【０００６】
【特許文献１】特開２００１−２８００３０号公報
【発明の開示】
【発明が解決しようとする課題】
【０００７】
本発明は、このような従来の事情に鑑みて提案されたものであり、地震発生等によってドア枠に大きな外力が加わり、ドア枠が変形等した場合であっても、複数のローラをドア枠に接触させることで、円滑にドア本体の開閉を行うことができる耐震ドア及びこの耐震ドアを備える耐震ドア装置を提供することを目的とする。
【課題を解決するための手段】
【０００８】
上述した目的を達成するために本発明に係る耐震ドアは、ドア枠に対して回動可能に設けられ、ドア本体と、上記ドア本体の一側面部に、厚さ方向の回動軸に回動可能に設けられた回動アームと、上記回動アームの回動軸に対して一方の側に、上記ドア本体の略回動方向に回転自在に設けられた第１のローラと、上記回動アームの回動軸に対して他方の側に、上記ドア本体の略回動方向に回転自在に設けられた第２のローラとを備える。
【０００９】
そして、上記ドア本体の一側面部には、上記第１のローラを上記ドア枠に臨ませる第１の開口部と上記第２のローラを上記ドア枠に臨ませる第２の開口部とが形成され、上記ドア枠が変形したとき、上記回動アームは、上記一方のローラが上記ドア枠に押圧され、上記回動アームが回動軸を中心に回動されることによって、上記両方のローラが上記ドア枠に接触する。
【００１０】
また、上述した目的を達成するために本発明に係る耐震ドア装置は、耐震ドアと、上記耐震ドアを回動可能に設けるドア枠とを備える。そして、上記耐震ドアは、ドア本体と、上記ドア本体の一側面部に、厚さ方向の回動軸に回動可能に設けられた回動アームと、上記回動アームの回動軸に対して一方の側に、上記ドア本体の略回動方向に回転自在に設けられた第１のローラと、上記回動アームの回動軸に対して他方の側に、上記ドア本体の略回動方向に回転自在に設けられた第２のローラとを有する。
【００１１】
そして、上記ドア本体の一側面部には、上記第１のローラを上記ドア枠に臨ませる第１の開口部と上記第２のローラを上記ドア枠に臨ませる第２の開口部とが形成され、上記ドア枠が変形したとき、上記回動アームは、上記一方のローラが上記ドア枠に押圧され、上記回動アームが回動軸を中心に回動されることによって、上記両方のローラが上記ドア枠に接触する。
【発明の効果】
【００１２】
本発明によれば、地震発生等によってドア枠に大きな外力が加わり、ドア枠が変形等した場合であっても、ドア本体に回動可能に設けられた回動アームによって、一方のローラがドア枠に押圧されると、回動アームが回動軸を中心に回動されることによって、第１のローラと第２のローラとがドア枠に接触し、複数個のローラをドア枠に接触させることができ、円滑にドア本体の開閉を行うことができる。
【発明を実施するための最良の形態】
【００１３】
以下、本発明を適用した耐震ドア１及び耐震ドア装置２について、図面を参照して説明する。
【００１４】
本発明を適用した耐震ドア装置２は、図１に示すように、本発明を適用した耐震ドア１と、この耐震ドア１を回動可能に設けるドア枠３とからなり、地震発生等によってドア枠３に大きな外力が加わり、ドア枠３が変形等した場合であっても、耐震ドア１に設けられた複数個のローラをドア枠３と接触させることで、耐震ドア１とドア枠３との摩擦が低減され、円滑にドアの開閉を行うものである。
【００１５】
本発明を適用した耐震ドア１は、図２に示すように、ドア本体４と、このドア本体４の一側面部に設けられた回動アーム５と、この回動アーム５の後述する回動軸１７に対して一方の側に設けられた第１のローラ６と、回動アーム５の回動軸１７に対して他方の側に設けられた第２のローラ７とを備える。
【００１６】
ドア本体４は、図３に示すように、ドア本体４の機械的剛性を確保するドアフレーム８と、このドアフレーム８の表裏両側に設けられた表面材９とからなる。
【００１７】
ドア本体４の機械的剛性を確保するドアフレーム８は、図３に示すように、ステンレス鋼や鋼鉄等の機械的剛性を有する剛性材が用いられ、機械的剛性を確保する薄板からなり、耐震ドア１がドア枠３に対して後述するヒンジ部材３７を介して回動可能に設けられたときに上側となる第１のフレーム１０と、下側となる第２のフレーム１１と、ドア枠３に設けられたヒンジ部材３７側となる第３のフレーム１２と、ドア枠３に設けられたヒンジ部材３７側と反対側となる第４のフレーム１３とで囲まれた縦長な平面視略矩形状の枠体である。
【００１８】
ドアフレーム８は、各フレーム１０，１１，１２，１３の両側縁に、さらに機械的剛性が向上するように、枠体の内側方向に略直角に折り曲げられた第１乃至第４の折曲片１０ａ，１１ａ，１２ａ，１３ａが設けられている。
【００１９】
耐震ドア１がドア枠３に対して後述するヒンジ部材３７を介して回動可能に設けられたときに上側となる第１のフレーム１０には、第１のローラ６及び第２のローラ７をドア枠３に臨ませるため、第１のローラ６及び第２のローラ７の配置位置に対応させて、主面のヒンジ部材３７側と反対側のコーナ部近傍に第１の開口部１４が形成され、主面の略中央に第２の開口部１５が形成されている。第１の開口部１４及び第２の開口部１５は、第１のローラ６及び第２のローラ７よりやや大形の平面視略矩形状に形成されている。
【００２０】
第１のフレーム１０に設けられた第１の折曲片１０ａの主面には、第１のフレーム１０の主面のヒンジ部材３７側と反対側のコーナ部近傍に形成された第１の開口部１４と略中央に形成された第２の開口部１５との間の略中間位置に、挿通孔１６が形成されている。この挿通孔１６は、回動アーム５を回動可能に設ける回動軸１７が挿通される。
【００２１】
ヒンジ部材３７側となる第３のフレーム１２には、図示はしないが、上下２箇所にヒンジ受部が設けられている。このヒンジ受部には、ネジ孔等が設けられ、ビス等を介してヒンジ部材３７が取り付けられる。耐震ドア１は、ドア枠３に対してヒンジ部材３７を介して、図１中の矢印ａ１方向のように、回動可能に設けられている。
【００２２】
ドアフレーム８の表裏両側に設けられた表面材９は、図３に示すように、第１の表面材９ａと、第１の表面材９ａと対向して組み合わされる第２の表面材９ｂとを有する。（以下、第１の表面材９ａ及び第２の表面材９ｂを単に表面材９ともいう。）。
【００２３】
第１の表面材９ａは、ドアフレーム８に対応させた縦長な平面視略矩形状の主面１８と、この主面１８の外周縁に沿って主面１８に対して略直角に設けられた第１乃至第４の側面部１９，２０，２１，２２とからなる。第１の側面部１９は、耐震ドア１がドア枠３に対してヒンジ部材３７を介して回動可能に設けられたときに上側となる第１のフレーム１０に対応し、第２の側面部２０は、下側となる第２のフレーム１１に対応し、第３の側面部２１は、ドア枠３に設けられたヒンジ部材３７側となる第３のフレーム１２に対応し、第４の側面部２２は、ドア枠３に設けられたヒンジ部材３７側と反対側となる第４のフレーム１３に対応している。
【００２４】
第２の表面材９ｂは、第１の表面材９ａと略同様の構成を有するが、第１の表面材９ａと各側面部１９，２０，２１，２２が設けられた側をそれぞれ対向させて組み合わせるため、第１の表面材９ａと異なり、第３の側面部２１が第４のフレーム１３に対応し、第４の側面部２２が第３のフレーム１２に対応している。
【００２５】
第１の表面材９ａ及び第２の表面材９ｂは、各側面部１９，２０，２１，２２が設けられた側をそれぞれ対向させて組み合わせ、ドアフレーム８の表裏両側にそれぞれビスや接着剤等で設けられている。
【００２６】
第１の表面材９ａの第１の側面部１９の主面には、ドアフレーム８の第１の開口部１４の配置位置に対応させ、ヒンジ部材３７側と反対側のコーナ部近傍に、第２の表面材９ｂと組み合わされる側の辺が開口した第１の切欠部２３ａと、第２の開口部１５の配置位置に対応させ、略中央に、第２の表面材９ｂと組み合わされる側の辺が開口した第２の切欠部２４ａとが形成されている。
【００２７】
第２の表面材９ｂの第１の側面部１９の主面には、第１の表面材９ａと対向して組み合わされたとき、第１の表面材９ａに形成された第１の切欠部２３ａに対応するように、ヒンジ部材３７側と反対側のコーナ部近傍に、第１の表面材９ａと組み合わされる側の辺が開口した第１の切欠部２３ｂと、第１の表面材９ａに形成された第２の切欠部２４ａに対応するように、略中央に、第１の表面材９ａと組み合わされる側の辺が開口した第２の切欠部２４ｂとが形成されている。以下、第１の表面材９ａの第１の切欠部２３ａ及び第２の表面材９ｂの第１の切欠部２３ｂとが対向して組み合わされたとき、第１の表面材９ａの第２の切欠部２４ａ及び第２の表面材９ｂの第２の切欠部２４ｂとが対向して組み合わされたとき、組み合わされた切欠部を単に第１の切欠部２３及び第２の切欠部２４ともいう。
【００２８】
第１の切欠部２３及び第２の切欠部２４は、第１のローラ６及び第２のローラ７をドア枠３に臨ませるため、第１の表面材９ａと第２の表面材９ｂとが対向して組み合わされたとき、第１のローラ６、第２のローラ７及びドアフレーム８の第１の開口部１４及び第２の開口部１５よりやや大形の略矩形状に形成されている。
【００２９】
第１の表面材９ａには、各側面部１９，２０，２１，２２が設けられた側の主面１８の回動アーム５の両端部近傍に、それぞれ回動規制片２５が設けられている。各回動規制片２５は、回動アーム５の両端部に設けられた第１のローラ６及び第２のローラ７のどちらか一方のローラがドア枠３によってドア本体４内の方向に押圧され、回動アーム５がドア本体４内の方向に回動しすぎて一方のローラがドア本体４から突出されずにドア本体４内に入ってしまい、他方のローラのみでドア本体４の開閉を行わないように回動アーム５が回動しすぎることを規制する。
【００３０】
なお、回動規制片２５は、第２の表面材９ｂに設けてもよい。また、回動規制片２５は、第１の表面材９ａ及び第２の表面材９ｂとに設けてもよい。更に、回動規制片２５は、第１の表面材９ａ及び第２の表面材９ｂとに亘って連結して設けてもよい。
【００３１】
ドア本体４には、図２に示すように、上述した構成の他に、例えば、主面の長手方向略中間、短手方向ヒンジ部材３７側と反対側のコーナ部近傍に、錠前２６、扉把手２７が設けられている。
【００３２】
なお、ドア本体４は、上述した構成に限定されず、従来提供されている種々の構成を備えるものであってもよい。例えば、ドア本体４は、さらに機械的剛性を向上させるため、第３のフレーム１２及び第４のフレーム１３と平行な筋交いやドアフレーム８の対角線上に平面視略Ｘ字状に形成された筋交い等を設けてもよい。
【００３３】
ドア本体４の一側面部に設けられた回動アーム５は、図４に示すように、アーム部２８と、このアーム部２８の主面の長手方向の一方の側に第１のローラ６を回転自在に設ける第１のローラ受部２９と、他方の側に第２のローラ７を回転自在に設ける第２のローラ受部３０とからなる。
【００３４】
アーム部２８は、図４及び図５に示すように、機械的剛性を有する剛性材からなり、例えば、ステンレス鋼や鋼鉄からなり、平面視略矩形状である。アーム部２８は、第１のフレーム１０の両側縁に設けられ、相対する第１の折曲片１０ａ，１０ａ間に設けられるため、短手方向である幅が第１のフレーム１０の両側縁に設けられ、相対する第１の折曲片１０ａ，１０ａ間よりやや狭く設けられている。アーム部２８は、長手方向である全長が、第１のフレーム１０のヒンジ部材３７側と反対側のコーナ部近傍に形成された第１の開口部１４と略中央に設けられた第２の開口部１５との間よりやや長く設けられている。アーム部２８は、アーム部２８の幅方向に対向する一側面部の略中心に、回動アーム５を回動可能に設け、ドア本体４の厚さ方向に設けられる回動軸１７が挿通される挿通孔３１が形成されている。
【００３５】
アーム部２８の主面の長手方向の回動軸１７に対して一方の側に設けられた第１のローラ受部２９は、図４及び図５に示すように、回動アーム５と略同様の幅を有し、第１のローラ６が取り付けられる凹溝３２と、ローラ軸３３が挿通される挿通孔３４とが形成され、第１のローラ６を短手方向、すなわち、図４中の矢印ｂ１方向のように、回転自在に設けた軸受３５からなる。第１のローラ受部２９は、図示はしないが、ビス等を介してアーム部２８に締結されて固定されている。第１のローラ受部２９は、図５に示すように、第１のローラ６がドア本体４の第１の開口部１４からドア枠３に臨み、ドア枠３と間隙を有するとともに、ドア本体４から突出されるように設けられている。
【００３６】
回動アーム５の第１のローラ受部２９にドア本体４の略回動方向に回転自在に設けられた第１のローラ６は、図４に示すように、機械的剛性を有する剛性材からなり、例えば、ステンレス鋼や鋼鉄からなり、略円柱形状である。第１のローラ６の回転方向は、図１中の矢印ｂ１方向のように、ドア本体４の回動方向と略同一であり、つまり、ドア本体４の開閉方向と略同一である。
【００３７】
アーム部２８の主面の長手方向の回動軸１７に対して他方の側に設けられた第２のローラ受部３０は、第１のローラ受部２９と同様の構成を有するため、同じ符号を付して説明を省略する。回動アーム５の第２のローラ受部３０にドア本体４の略回動方向に回転自在に設けられた第２のローラ７は、第１のローラ６と同様の構成を有するため、同じ符号を付して説明を省略する。
【００３８】
なお、回動アーム５は、アーム部２８と第１のローラ受部２９と、第２のローラ受部３０とを組立工程を簡素化するために一体に設けてもよい。
【００３９】
耐震ドア１を回動可能に設けるドア枠３は、図２及び図５に示すように、建物の壁面開口部に設けられ、縦長な平面視略矩形状の枠体からなる。ドア枠３は、建物の壁面開口部に設けられたとき上側となる枠体の内側の主面に、第１のローラ６及び第２のローラ７の配置位置に対応させて、ビスや接着材等でそれぞれローラ受部材３６が設けられている。
【００４０】
ローラ受部材３６は、機械的剛性を有する剛性材からなり、例えば、ステンレス鋼や鋼鉄からなり、図６に示すように、平面視略矩形板状に形成されている。ローラ受部材３６は、ビス等を介してドア枠３に設けるため、四隅近傍にネジ孔３６ａと、各ローラが接触する位置に対応させ、ローラを開閉方向にガイドする傾斜面を有するガイド溝３６ｂとが形成されている。
【００４１】
ドア枠３は、図２に示すように、建物の壁面開口部の一方の長辺側の枠体の内側の主面に、耐震ドア１を回動可能に設けるヒンジ部材３７が上下２箇所に設けられている。ドア枠３は、ヒンジ部材３７を介して、耐震ドア１を図１中の矢印ａ１方向のように、回動可能に設けている。
【００４２】
ここで耐震ドア装置２の組立方法について説明する。
【００４３】
先ず、耐震ドア１を組み立てる。第１のローラ６は、既にアーム部２８に第１のローラ受部２９と第２のローラ受部３０とが設けられた回動アーム５の第１のローラ受部２９の凹溝３２に配置される。そして、第１のローラ６は、第１のローラ受部２９の軸受３５に形成された挿通孔３４にローラ軸３３を挿通させ、回動アーム５の第１のローラ受部２９に回転自在に設けられる。そして、第２のローラ７は、第１のローラ６と同様にして、ローラ軸３３を介して、回動アーム５の第２のローラ受部３０に回転自在に設けられる。
【００４４】
次に、第１のローラ６と第２のローラ７とが回転自在に設けられた回動アーム５は、ドア本体４の第１のフレーム１０の枠体の内側から第１のフレーム１０に形成された第１の開口部１４と第１のローラ６とが対応するように配置され、第２の開口部１５と第２のローラ７とが対応するように配置される。そして、回動アーム５は、一側面部に形成された挿通孔３１と第１のフレーム１０の第１の折曲片１０ａに形成された挿通孔１６とに回動軸１７を挿通させ、ドアフレーム８に回動可能に設けられる。そして、回動アーム５が回動可能に設けられたドアフレーム８は、表面材９の第１の側面部１９に形成された第１の切欠部２３と第１のローラ６とが対応し、第２の切欠部２４と第２のローラ７とが対応するように第１の表面材９ａ及び第２の表面材９ｂとが表裏両面側からビス等で設けられる。
【００４５】
次に、本発明が適用され、上述したように組み立てられた耐震ドア１は、既に建物の壁面開口部に設けられているドア枠３に設けられたヒンジ部材３７と耐震ドア１のヒンジ受部とをビス等で設ける。これにより、耐震ドア１は、ヒンジ部材３７を介して、ドア枠３に対して回動可能に設けられる。
【００４６】
以上のように構成された本発明を適用した耐震ドア装置２は、図７に示すように、地震発生等によって、ドア枠３に大きな外力が加わり、ドア枠３の上面略中央がドア側に局部変形した場合、ドア枠３の上面略中央のドア側に局部的に変形したドア枠３と、回動アーム５の回動軸１７に対して他方の側に設けられ、ドア本体４の上面略中央の第２の開口部１５から突出して設けられた第２のローラ７とが接触し、第２のローラ７がドア枠３によってドア本体４内の方向へ押圧されることで、回動アーム５が回動軸１７を中心に、図７中の矢印ｃ１のように、シーソのように回動され、回動アーム５の回動軸１７に対して一方の側に設けられ、ドア本体４の上面のヒンジ部材３７側と反対側のコーナ部近傍の第１の開口部１４から突出して設けられた第１のローラ６が第１の開口部１４から押し出される。したがって、耐震ドア装置２は、第２のローラ７に加えて、第１のローラ６も局部変形したドア枠３と接触する。
【００４７】
また、耐震ドア装置２は、地震発生等によって、ドア枠３に大きな外力が加わり、図８に示すように、ドア枠３が略平行四辺形状に層間変形し、例えば、ヒンジ部材３７が設けられた側に層間変形した場合、ドア枠３の上面のヒンジ部材３７側と反対側のコーナ部近傍と、回動アーム５の回動軸１７に対して一方の側に設けられ、ドア本体４の上面のヒンジ部材３７側と反対側のコーナ部近傍の第１の開口部１４から突出して設けられた第１のローラ６とが接触し、第１のローラ６がドア枠３によってドア本体４内の方向へ押圧されることで、回動アーム５が回動軸１７を中心に、図８中の矢印ｄ１のように、シーソのように回動され、回動アーム５の他方の側に設けられ、ドア本体４の上面の略中央の第２の開口部１５から突出して設けられた第２のローラ７が第２の開口部１５から押し出される。したがって、耐震ドア装置２は、第１のローラ６に加えて、第２のローラ７も層間変形したドア枠３と接触する。
【００４８】
これにより、耐震ドア装置２は、ドア枠３が局部変形及び層間変形したことで耐震ドア１とドア枠３との間に間隙が生じても、ドア本体４に回動可能に設けられた回動アーム５によって、第１のローラ６及び第２のローラ７をドア枠３に接触させることができ、一のローラのみに大きな力がかかることなく、円滑にドア本体４の開閉を行うことができる。
【００４９】
なお、耐震ドア装置２は、一方のローラがドア本体４の上面の略中央に設けられ、他方のローラがヒンジ部材３７側と反対側のコーナ部近傍に設けられることに限定されず、他方のローラがヒンジ部材３７側のコーナ部近傍に設けられてもよい。
【００５０】
また、耐震ドア装置２は、回動アーム５がドアフレーム８の第１の折曲片１０ａの主面に設けられた挿通孔１６に回動軸１７を介して回動可能に設けられることに限定されず、表面材９に設けた挿通孔に回動軸１７を挿通させて、回動可能に設けてもよい。
【００５１】
なお、耐震ドア装置２は、ドア枠３の層間変形の大きさによっては、耐震ドア１とドア枠３との間に間隙が生じてしまい、接触しない可能性もあり得る。そこで、耐震ドア装置２は、どのような層間変形に対してもローラが接触されるように、ドア本体４の上下の側面部に回動アーム５を設けてもよい。
【００５２】
次に、回動アーム５をドア本体４の上下の側面部に設けた耐震ドア装置２について説明する。
【００５３】
耐震ドア装置２は、図９に示すように、ドア本体４の上面と下面に、第１のローラ６及び第２のローラ７を回転自在に設けた回動アーム５が回動可能に設けられている。以下、耐震ドア装置２は、上述した耐震ドア装置２と同様の構成を有する場合は、同じ符号を付して説明を省略する。具体的に、ドア本体４の上面に回動可能に設けられた回動アーム５については、上述した耐震ドア装置２と同様の構成及び配置位置であるため、同じ符号を付して説明を省略する。
【００５４】
また、耐震ドア装置２は、ドア本体４の第１のフレーム１０の第１の開口部１４及び第２の開口部１５と対応するように、第２のフレーム１１の主面の略中央に第３の開口部３８が形成され、ヒンジ部材３７側と反対側のコーナ部近傍に第４の開口部３９が形成されている。耐震ドア装置２は、第１のフレーム１０の第１の折曲片１０ａに形成された挿通孔１６と対応するように、第２のフレーム１１の第２の折曲片１１ａの主面に、第２のフレーム１１の主面の略中央に形成された第３の開口部３８とヒンジ部材３７側と反対側のコーナ部近傍に形成された第４の開口部３９との間の略中間位置に挿通孔４０が形成されている。
【００５５】
更に、耐震ドア装置２は、回動アーム５が第２のフレーム１１の枠体の内側から、第２のフレーム１１に形成された第３の開口部３８と第１のローラとが対応するように配置され、第４の開口部３９と第２のローラ７とが対応するように配置される。耐震ドア装置２は、第１の側面部１９の第１の切欠部２３及び第２の切欠部２４と対応するように、第２の側面部２０の主面の略中央に第３の切欠部４１が形成され、ヒンジ部材３７側と反対側のコーナ部近傍に第４の切欠部４２が形成されている。
【００５６】
以上のように構成された耐震ドア装置２は、地震発生等によって、ドア枠３に大きな外力が加わり、図１０に示すように、ドア枠３が略平行四辺形状に層間変形し、例えば、ヒンジ部材３７側に層間変形した場合、ドア枠３の上面のヒンジ部材３７側と反対側のコーナ部近傍と、回動アーム５の回動軸１７に対して一方の側に設けられ、ドア本体４の上面のヒンジ部材３７側と反対側のコーナ部近傍の第１の開口部１４から突出して設けられた第１のローラ６とが接触し、第１のローラ６がドア枠３によってドア本体４内の方向へ押圧されることで、回動アーム５が回動軸１７を中心に、図１０中の矢印ｅ１のように、シーソのように回動され、回動アーム５の回動軸１７に対して他方の側に設けられ、ドア本体４の上面の略中央の第２の開口部１５から突出して設けられた第２のローラ７が第２の開口部１５から押し出される。したがって、耐震ドア装置２は、第１のローラ６に加えて、第２のローラ７も層間変形したドア枠３に接触する。
【００５７】
また、耐震ドア装置２は、地震発生等によって、ドア枠３に大きな外力が加わり、図１１に示すように、ドア枠３が略平行四辺形状に層間変形し、例えば、ヒンジ部材３７が設けられた側と反対側に層間変形した場合、ドア枠３の下面のヒンジ部材３７側と反対側のコーナ部近傍と、回動アーム５の回動軸１７に対して他方の側に設けられ、ドア本体４の下面のヒンジ部材３７側と反対側のコーナ部近傍の第４の開口部３９から突出して設けられた第２のローラ７とが接触し、第２のローラ７がドア枠３によってドア本体４内の方向へ押圧されることで、回動アーム５が回動軸１７を中心に、図１１中の矢印ｆ１のように、シーソのように回動され、回動アーム５の回動軸１７に対して一方の側に設けられてドア本体４の下面の略中央の第３の開口部３８から突出して設けられた第１のローラ６が第３の開口部３８から押し出される。したがって、耐震ドア装置２は、第２のローラ７に加えて、第１のローラ６も層間変形したドア枠３に接触する。
【００５８】
更に、耐震ドア装置２は、図示はしないが、地震発生等によって、ドア枠３に大きな外力が加わり、ドア枠３の上面略中央がドア側に局部変形した場合、ドア本体４の上面に回動可能に設けられた回動アーム５が上述した耐震ドア装置２と同様の構成及び配置位置であるので、上述したように、回動アーム５に回転自在に設けられた第２のローラ７に加えて、第１のローラ６も局部変形したドア枠３に接触する。
【００５９】
これにより、耐震ドア装置２は、ドア枠３が局部変形及び層間変形したことで耐震ドア１とドア枠３との間に間隙が生じても、耐震ドア１に回動可能に設けられた回動アーム５によって、複数個のローラをドア枠３に接触させることができ、一のローラのみに大きな力がかかることなく、円滑にドア本体４の開閉を行うことができる。
【００６０】
なお、耐震ドア装置２は、ドア本体４の上下の側面部に一方のローラが略中央に設けられ、他方のローラがヒンジ部材３７側と反対側のコーナ部近傍に設けられることに限定されず、上下の側面部に設けられた他方のローラが同一側のコーナ部近傍に設けられていれば、ヒンジ部材３７側のコーナ部近傍に設けてもよい。
【００６１】
なお、耐震ドア装置２は、ドア枠３がどのような局部変形及び層間変形が生じても、複数個のローラがドア枠３に接触し、円滑にドア本体４の開閉が行えるように、回動アームをドア本体４の複数の側面部に複数個設けてもよい。
【００６２】
次に、回動アーム５をドア本体４の複数の側面部に複数個設けた耐震ドア装置２について説明する。
【００６３】
耐震ドア装置２は、図１２に示すように、ドア本体４の全ての側面部に対してそれぞれ第１のローラ６及び第２のローラ７とを回転自在に設けた回動アーム５が回動可能に設けられている。以下、耐震ドア装置２は、上述した耐震ドア装置２と同様の構成を有する場合は、同じ符号を付して説明を省略する。具体的に、第１乃至第４の開口部１４，１５，３８，３９と対応するように設けられた回動アーム５については、上述した耐震ドア装置２と同様の構成及び配置位置であるため、同じ符号を付して説明を省略する。
【００６４】
耐震ドア装置２は、第１のフレーム１０の主面に、第１の開口部１４及び第２の開口部１５の他に、略中央ややヒンジ部材３７側に第５の開口部４３が形成され、ヒンジ部材３７側のコーナ部近傍に第６の開口部４４が形成されている。
【００６５】
耐震ドア装置２は、第２のフレーム１１の主面に、第３の開口部３８及び第４の開口部３９の他に、第１のフレーム１０の第５の開口部４３及び第６の開口部４４と対応するように、ヒンジ部材３７側のコーナ部近傍に第７の開口部４５が形成され、略中央ややヒンジ部材３７側に第８の開口部４６が形成されている。
【００６６】
耐震ドア装置２は、ドア本体４のヒンジ部材３７側となる第３のフレーム１２の主面に、上端コーナ部近傍に第９の開口部４７が形成され、略中央やや上端に第１０の開口部４８が形成され、略中央やや下端に第１１の開口部４９が形成され、下端コーナ部近傍に第１２の開口部５０が形成されている。
【００６７】
耐震ドア装置２は、ドア本体４のヒンジ部材３７側と反対側となる第４のフレーム１３の主面に、第３のフレーム１２の第９乃至第１２の開口部４７，４８，４９，５０と対応するように、下端コーナ部近傍に第１３の開口部５１が形成され、略中央やや下端に第１４の開口部５２が形成され、略中央やや上端に第１５の開口部５３が形成され、上端コーナ部近傍に第１６の開口部５４が形成されている。
【００６８】
耐震ドア装置２は、第１のフレーム１０の第１の折曲片１０ａの主面に、第１の開口部１４及び第２の開口部１５との間の略中間位置に形成された挿通孔１６の他に、略中央ややヒンジ部材３７側に形成された第５の開口部４３とヒンジ部材３７側のコーナ部近傍に形成された第６の開口部４４との間の略中間位置に挿通孔５５が形成されている。
【００６９】
耐震ドア装置２は、第１のフレーム１０の挿通孔１６と対応するように、第２のフレーム１１の第２の折曲片１１ａの主面に、第３の開口部３８及び第４の開口部３９との間の略中間位置に形成された挿通孔４０の他に、略中央ややヒンジ部材３７側に形成された第７の開口部４５とヒンジ部材３７側と反対側のコーナ部近傍に形成された第８の開口部４６との間の略中間位置に挿通孔５６が形成されている。
【００７０】
耐震ドア装置２は、第３のフレーム１２の第３の折曲片１２ａの主面に、第３のフレーム１２の主面の上端コーナ部近傍に形成された第９の開口部４７と略中央やや上端に形成された第１０の開口部４８との間の略中間位置に挿通孔５７が形成され、略中央やや下端に形成された第１１の開口部４９と下端コーナ部近傍に形成された第１２の開口部５０との間の略中間位置に挿通孔５８が形成されている。
【００７１】
耐震ドア装置２は、第３のフレーム１２の挿通孔５７，５８と対応するように、第４のフレーム１３の第４の折曲片１３ａの主面に、第４のフレーム１３の主面の下端コーナ部近傍に形成された第１３の開口部５１と略中央やや下端に形成された第１４の開口部５２との間の略中間位置に挿通孔５９が形成され、略中央やや上端に形成された第１５の開口部５３と上端コーナ部近傍に形成された第１６の開口部５４との間の略中間位置に挿通孔６０が形成されている。
【００７２】
耐震ドア装置２は、回動アーム５が第１のフレーム１０の枠体の内側から、第１のフレーム１０に形成された第５の開口部４３と第１のローラ６とが対応するように配置され、第６の開口部４４と第２のローラ７とが対応するように配置される。
【００７３】
耐震ドア装置２は、回動アーム５が第２のフレーム１１の枠体の内側から、第２のフレーム１１に形成された第７の開口部４５と第１ローラとが対応するように配置され、第８の開口部４６と第２のローラ７とが対応するように配置される。
【００７４】
耐震ドア装置２は、回動アーム５が第３のフレーム１２の枠体の内側から、第３のフレーム１２に形成された第９の開口部４７と第１のローラ６とが対応するように配置され、第１０の開口部４８と第２のローラ７とが対応するように配置され、第１１の開口部４９と第１ローラとが対応するように配置され、第１２の開口部５０と第２のローラ７とが対応するように配置される。
【００７５】
耐震ドア装置２は、回動アーム５が第４のフレーム１３の枠体の内側から、第４のフレーム１３に形成された第１３の開口部５１と第１のローラ６とが対応するように配置され、第１４の開口部５２と第２のローラ７とが対応するように配置され、第１５の開口部５３と第１のローラ６とが対応するように配置され、第１６の開口部５４と第２のローラ７とが対応するように配置される。
【００７６】
耐震ドア装置２は、第１の側面部１９の主面のヒンジ部材３７側と反対側のコーナ部近傍に形成された第１の切欠部２３及び略中央ややヒンジ部材３７側と反対側に形成された第２の切欠部２４の他に、略中央ややヒンジ部材３７側に第５の切欠部６１が形成され、ヒンジ部材３７側のコーナ部近傍に第６の切欠部６２が形成されている。
【００７７】
耐震ドア装置２は、第１の側面部１９の主面の第５の切欠部６１及び第６の切欠部６２に対応するように、第２の側面部２０の主面の略中央ややヒンジ部材３７側と反対側に形成された第３の切欠部４１及びヒンジ部材３７側と反対側のコーナ部近傍に形成された第４の切欠部４２の他に、ヒンジ部材３７側のコーナ部近傍に第７の切欠部６３が形成され、略中央ややヒンジ部材３７側に第８の切欠部６４が形成されている。
【００７８】
耐震ドア装置２は、第３の側面部２１の主面の上端コーナ部近傍に第９の切欠部６５が形成され、略中央やや上端に第１０の切欠部６６が形成され、略中央やや下端に第１１の切欠部６７が形成され、下端コーナ部近傍に第１２の切欠部６８が形成されている。
【００７９】
耐震ドア装置２は、第４の側面部２２の主面の第９乃至第１２の切欠部６５，６６，６７，６８に対応するように、第４の側面部２２の主面の下端コーナ部近傍に第１３の切欠部６９が形成され、略中央やや下端に第１４の切欠部７０が形成され、略中央やや上端に第１５の切欠部７１が形成され、上端コーナ部近傍に第１６の切欠部７２が形成されている。
【００８０】
以上のように構成された耐震ドア装置２は、地震発生等によって、ドア枠３に大きな外力が加わり、図示はしないが、ドア枠３が略平行四辺形状に層間変形し、例えば、耐震ドア１のヒンジ部材３７側に層間変形した場合、上述した耐震ドア１と同様の構成及び配置位置であるので、ドア本体４の上面のヒンジ部材３７側と反対側のコーナ部近傍の第１の開口部１４及び第２の開口部１５に対応するように設けられ、耐震ドア１に回動可能に設けられた回動アーム５に回転自在に設けられた第２のローラ７に加えて第１のローラ６も層間変形したドア枠３と接触する。
【００８１】
このとき、耐震ドア装置２は、ドア枠３の下面のヒンジ部材３７側のコーナ部近傍と、回動アーム５の回動軸１７に対して一方の側に設けられ、ドア本体４の下面のヒンジ部材３７側の第７の開口部４５から突出して設けられた第１のローラ６とが接触し、ドア枠３によって第１のローラ６がドア本体４内の方向へ押圧されることで、回動アーム５が回動軸１７を中心にシーソのように回動され、回動アーム５の回動軸１７に対して他方の側に設けられてドア本体４の下面略中央の第８の開口部４６から突出して設けられた第２のローラ７が第８の開口部４６から押し出される。したがって、耐震ドア装置２は、第１のローラ６に加えて、第２のローラ７も層間変形したドア枠３に接触する。
【００８２】
耐震ドア装置２は、地震発生等によって、ドア枠３に大きな外力が加わり、図示はしないが、ドア枠３が略平行四辺形状に層間変形し、例えば、耐震ドア１のヒンジ部材３７側と反対側に層間変形した場合、上述した耐震ドア１と同様の構成及び配置位置であるので、ドア本体４の下面のヒンジ部材３７側と反対側のコーナ部近傍の第３の開口部３８及び第４の開口部３９に対応するように設けられ、耐震ドア１の回動可能に設けられた回動アーム５に回転自在に設けられた第２のローラ７に加えて、第１のローラ６も層間変形したドア枠３に接触する。
【００８３】
このとき、耐震ドア装置２は、ドア枠３の上面のヒンジ部材３７側のコーナ部近傍と、回動アーム５の回動軸１７に対して一方の側に設けられ、ドア本体４の上面のヒンジ部材３７側の第６の開口部４４から突出して設けられた第２のローラ７とが接触し、ドア枠３によって第２のローラ７がドア本体４内の方向へ押圧されることで、回動アーム５が回動軸１７を中心にシーソのように回動され、回動アーム５の回動軸１７に対して他方の側に設けられ、ドア本体４の上面略中央の第５の開口部４３から突出して設けられた第１のローラ６が第５の開口部４３から押し出される。したがって、耐震ドア装置２は、第２のローラ７に加えて、第１のローラ６も層間変形したドア枠３に接触する。
【００８４】
また、耐震ドア装置２は、ドア枠３のヒンジ部材３７側の主面と、耐震ドア１のヒンジ部材３７側に設けられた第９乃至第１２の開口部４７，４８，４９，５０に対応し、耐震ドア１に回動可能に設けられた回動アーム５に回転自在に設けられた第１のローラ６及び第２のローラ７とが接触する。更に、耐震ドア装置２は、ドア枠３とヒンジ部材３７側と反対側の主面と、耐震ドア１のヒンジ部材３７側と反対側に設けられた第１３乃至第１６の開口部５１，５２，５３，５４に対応し耐震ドア１に回動可能に設けられた回動アーム５に回転自在に設けられた第１のローラ６及び第２のローラ７とが接触する。
【００８５】
耐震ドア装置２は、ドア本体４の上面に回動可能に取り付けられた回動アーム５が上述した耐震ドア装置２と同様の構成及び配置位置であるので、回動アーム５に回転自在に設けられた第１のローラ６及び第２のローラ７ともに局部変形したドア枠３と接触する。
【００８６】
これにより、耐震ドア装置２は、ドア枠３が局部変形及び層間変形したことで耐震ドア１とドア枠３との間に間隙が生じても、耐震ドア１に回動可能に設けられた回動アーム５によって、複数個のローラをドア枠３に接触させることができ、一のローラのみに大きな力がかかることなく、円滑にドア本体４の開閉を行うことができる。
【図面の簡単な説明】
【００８７】
【図１】本発明を適用した耐震ドア装置の斜視図である。
【図２】本発明を適用した耐震ドア装置の正面図である。
【図３】ドア本体の要部斜視図である。
【図４】回動アームの要部斜視図である。
【図５】本発明を適用した耐震ドア装置の要部断面図である。
【図６】ローラ受部材の斜視図である。
【図７】本発明を適用した耐震ドア装置のドア枠が局部変形した状態を示した正面図である。
【図８】本発明を適用した耐震ドア装置のドア枠が層間変形した状態を示した正面図である。
【図９】回動アームを複数の側面部に設けた場合の耐震ドア装置の正面図である。
【図１０】回動アームを複数の側面部に設けた場合の耐震ドア装置が層間変形した状態を示した正面図である。
【図１１】回動アームを複数の側面部に設けた場合の耐震ドア装置が層間変形した状態を示した正面図である。
【図１２】回動アームを複数の側面部に複数個設けた場合の耐震ドア装置の正面図である。
【符号の説明】
【００８８】
１  耐震ドア、２  耐震ドア装置、３  ドア枠、４  ドア本体、５  回動アーム、６  第１のローラ、７  第２のローラ、１４  第１の開口部、１５  第２の開口部
【図１】
2008057240.tif 000003
【図２】
2008057240.tif 000004
【図３】
2008057240.tif 000005
【図４】
2008057240.tif 000006
【図５】
2008057240.tif 000007
【図６】
2008057240.tif 000008
【図７】
2008057240.tif 000009
【図８】
2008057240.tif 000010
【図９】
2008057240.tif 000011
【図１０】
2008057240.tif 000012
【図１１】
2008057240.tif 000013
【図１２】
2008057240.tif 000014